(57)【特許請求の範囲】
【請求項１】
ファインダを構成する全ての光学要素を収納したファインダブロック；
このファインダブロックを載置する、カメラボディと一体の基台；
このファインダブロックと基台の一方と他方とに形成した、該ファインダブロックをファインダ光軸に直交する垂直な軸回りに回転可能に支持する、互いに嵌まり合う回転中心凹部と凸部；
この回転中心凹部と凸部を中心にファインダブロックを回転調整する左右調整機構；
上記基台に、上記回転中心凹部と凸部に関し、カメラの前後に位置させて形成した一対の上下調整台；
この一対の上下調整台の一方を基準として、他方の有効高さを調整する上下調整機構；
上記基台に、上記回転中心凹部と凸部に関し、カメラの左右に位置させて形成した一対の固定台；及び
上記左右調整機構及び上下調整機構によるファインダブロックの位置調整の後に、上記基台側の一対の固定台に固定される上記ファインダブロックに形成した一対の固定翼；
を有することを特徴とするファインダのパララックス調整装置。
【請求項２】
請求項１記載のファインダのパララックス調整装置において、左右調整機構は、ファインダブロックの一対の固定翼の一方に形成した、上記回転中心凹部と上記凸部から放射方向に伸びる長穴と、該長穴に対応させて上記基台側に形成した治具回転中心穴と、該治具回転中心穴に嵌まる回転中心軸と該回転中心軸に対して偏心し上記長穴に嵌まる偏心軸部とを有する調整治具とからなるファインダのパララックス調整装置。
【請求項３】
請求項１または２記載のファインダのパララックス調整装置において、一対の上下調整台の一方は基準台からなり、他方はこの基準台より高さの低い高さ調整台からなり、上下調整機構は高さ調整台とファインダブロックとの間に選択して挿入する厚さの異なるスペーサであるファインダのパララックス調整装置。
【請求項４】
請求項３記載のファインダのパララックス調整装置において、上記回転中心凹部は基台に設けられた回転中心台に形成されており、上記基準台、高さ調整台、一対の固定台、回転中心台の各部材の高さが、上記基準台、高さ調整台、一対の固定台、回転中心台の順であるファインダのパララックス調整装置。
【発明の詳細な説明】
【０００１】
【技術分野】
本発明は、コンパクトカメラやデジタルカメラ等に用いられるファインダのパララックス調整装置に関する。
【０００２】
【従来技術及びその問題点】
撮影光学系とファインダ光学系が独立して設けられているコンパクトカメラやデジタルカメラでは、撮影レンズ視野とファインダ視野のズレ、いわゆるパララックスを無くすための調整作業が行われている。
【０００３】
従来のパララックス調整装置の一例としては、中空箱状のファインダブロックの内部に配置した複数の光学要素（レンズエレメントやミラー）のいずれかの一つ以上の位置（角度）を調整可能としたものがある。
【０００４】
しかし、ファインダブロック内で、ファインダ構成要素（調整要素）の位置や角度を調整する作業は、カメラ、ファインダブロック、調整要素のすべての小型化が進行していることから、非常に困難になっている。
【０００５】
例えば、パララックスの調整作業中に、構成要素とファインダブロックが互いに接触して傷付くおそれがある。
【０００６】
また、調整作業中に、ファインダブロックの内部に細かなゴミが侵入して、ファインダの性能が低下するおそれもある。
【０００７】
【発明の目的】
本発明は、パララックス調整作業中に調整要素やファインダブロックに傷が付くおそれや、ファインダブロックの内部へのゴミの侵入のおそれのないファインダのパララックス調整装置を提供することを目的とする。
【０００８】
【発明の概要】
本発明のファインダのパララックス調整装置は、ファインダを構成する全ての光学要素を収納したファインダブロック；このファインダブロックを載置する、カメラボディと一体の基台；このファインダブロックと基台の一方と他方とに形成した、該ファインダブロックをファインダ光軸に直交する垂直な軸回りに回転可能に支持する、互いに嵌まり合う回転中心凹部と凸部；この回転中心凹部と凸部を中心にファインダブロックを回転調整する左右調整機構；上記基台に、上記回転中心凹部と凸部に関し、カメラの前後に位置させて形成した一対の上下調整台；この一対の上下調整台の一方を基準として、他方の有効高さを調整する上下調整機構；上記基台に、上記回転中心凹部と凸部に関し、カメラの左右に位置させて形成した一対の固定台；及び上記左右調整機構及び上下調整機構によるファインダブロックの位置調整の後に、上記基台側の一対の固定台に固定される上記ファインダブロックに形成した一対の固定翼；を有することを特徴としている。
【０００９】
左右調整機構は、ファインダブロックの一対の固定翼の一方に形成した、上記回転中心凹部と上記凸部から放射方向に伸びる長穴と、該長穴に対応させて上記基台側に形成した治具回転中心穴と、該治具回転中心穴に嵌まる回転中心軸と該回転中心軸に対して偏心し上記長穴に嵌まる偏心軸部とを有する調整治具とからなるものとすることができる。
【００１０】
また、一対の上下調整台の一方は基準台からなり、他方はこの基準台より高さの低い高さ調整台からなり、上下調整機構は高さ調整台とファインダブロックとの間に選択して挿入する厚さの異なるスペーサとすることができる。
【００１１】
さらに、上記回転中心凹部は基台に設けられた回転中心台に形成されており、上記基準台、高さ調整台、一対の固定台、回転中心台の各部材の高さが、上記基準台、高さ調整台、一対の固定台、回転中心台の順であるのが好ましい。
【００１２】
【発明の実施の形態】
以下、本発明の一実施形態について添付図面を参照しながら説明する。
図４は、本発明の対象とするファインダ１０１を有するコンパクトカメラ１００の正面図である。コンパクトカメラ１００は、ファインダ１０１とは別光軸の撮影レンズ系１０２を有している。以下の説明の「前方」「後方」は、カメラ１００（ファインダ１０１）のそれを言う。
【００１３】
カメラ１００のカメラボディの内部には、図１ないし図３に示すように、該ボディと一体に基台１が形成されている。この基台１の上面の中央部には、上下方向を向く支持穴（回転中心凹部）２が形成された回転中心台３が設けられており、回転中心台３の左右両側部には、上下方向を向くねじ穴４、５を有する一対の固定台６、７が設けられている。
【００１４】
基台１の上面には、固定台６の後方に位置させて、後述する偏心ピンを差し込むための支持穴（治具回転中心穴）（左右調整機構）８を有する偏心ピン支持台９が設けられている。
また、基台１の上面には、回転中心台３の前方に位置する基準台（上下調整台）１０と、回転中心台３の後方に位置する高さ調整台（上下調整台）１１が設けられている。
基台１の上面に設けられた各部材３、６、７、９、１０、１１の高さは、（１）基準台１０（２）高さ調整台１１（３）固定台６、７（４）回転中心台３と偏心ピン支持台９の順序である（図３では、高さ調整台１１より固定台７が高く描かれているが、実際は、高さ調整台１１の方が固定台６、７より高い。また、実際は後述するチャンネル材１４の下面の前後方向の中央部が下向きに湾曲しているが、湾曲の程度が微量なので、図３ではチャンネル材１４の下面を直線として描いている）。
【００１５】
ファインダ１０１を構成するファインダブロック１２は、下面中央部に回転中心台３の支持穴２に回転自在に嵌合する回転軸（凸部）１３（図２参照）が垂設されたチャンネル材１４と、チャンネル材１４の上部を塞ぐ上蓋１５から構成されている。このチャンネル材１４と上蓋１５とからなるファインダブロック１２内には、ファインダ１０１を構成するすべての光学要素（複数のレンズ群と必要な場合にはミラーやプリズム）が予め収納されており、これらの光学要素によりファインダ光軸１０１Ｘが決定されている。光軸１０１Ｘのファインダブロック１２に対する相対位置は、不変である。図１では、光学要素のうちの最も物体側のレンズエレメントＬのみを示している。
【００１６】
チャンネル材１４の左右両側面には水平な一対の固定翼１６、１７が、その下面がチャンネル材１４の下面と面一をなすようにして突設されている。
右側の固定翼１６には右側の固定台７のねじ穴５と対応する円形穴（図示略）が穿設されており、左側の固定翼１７には、左側の固定台６のねじ穴４と対応する円形穴１８と、偏心ピン支持台９の支持穴８と対応する長穴（左右調整機構）１９が穿設されている。長穴１９は、回転中心台３を中心とする放射方向を向いている。
【００１７】
次に、上記のファインダブロック１２の基台１への取付作業とパララックスの調整作業について説明する。
【００１８】
まず、ファインダブロック１２の回転軸１３を回転中心台３の支持穴２に上方から嵌合する。
【００１９】
次に図に示す偏心ピン（調整治具）（左右調整機構）２０を用いてファインダブロック１２の左右方向の向きを調整する。
偏心ピン２０は、偏心ピン支持台９の支持穴８に回転自在に嵌合する回転中心軸２１と、回転中心軸２１の上部に連設された、回転中心軸２１に対して偏心するとともに長穴１９に嵌合する、回転中心軸２１より径の大きい偏心軸部２２と、偏心軸部２２の上部に連設された、偏心軸部２２より径が大きく、回転中心軸２１と同軸をなす頭部２３とを備えている。
【００２０】
偏心ピン２０の偏心軸部２２を長穴１９に嵌合し、かつ回転中心軸２１を支持穴８に嵌合した後、頭部２３の上面に設けられたマイナス溝２４に図示を省略したマイナスドライバー等の工具を差し込み、この工具を回す。すると、偏心軸部２２が回転しながら長穴１９の側面を水平方向に押圧し、ファインダブロック１２を左右方向に回転させる。このような要領でファインダブロック１２の左右方向の向きを調整する。この調整範囲は、最大で例えば約１°乃至２°で十分であり、偏心軸部２２と回転中心軸２１との偏心量は、この程度の調整ができるように定める。
【００２１】
次いで、高さ調整台１１とチャンネル材１４の下面の間に、厚さの異なるスペーサ（上下調整機構）２５を選択しながら差し込み、ファインダブロック１２の上下方向の向きを調整する。スペーサ２５は、高さ調整台１１との合計高さが基準台１０と設計上同一になる基準スペーサと、この基準スペーサより厚肉と薄肉のスペーサとを複数種類用意しておき、基準スペーサでは正しいパララックス調整ができない場合に、厚肉スペーサと薄肉スペーサを選択使用するのがよい。この調整範囲は、最大で例えば約１°乃至２°で十分であり、スペーサ２５はこの程度の調整範囲が得られるように用意する。
【００２２】
ファインダブロック１２の左右方向と上下方向の向きの調整を行った結果、ファインダブロック１２による視野範囲が撮影レンズ系１０２による撮影範囲に一致したら、取付ねじ２６、２７を左右の固定翼１６、１７の円形穴１８と固定台６、７のねじ穴４、５に差し込み、ファインダブロック１２を基台１に固定する。
【００２３】
このように、本実施形態は、ファインダを構成する全ての光学要素を組み込んだファインダブロック１２の左右方向と上下方向の向きを調整することによりパララックスを調整するので、ファインダブロック１２内の調整要素の位置調整を行う従来装置のように、パララックス調整作業中にファインダブロック１２内の光学要素が傷付くことはない。
【００２４】
また、チャンネル材１４と上蓋１５は密閉構造とすることができ、ファインダブロック１２の接眼側と対物側の開口はレンズエレメントＬによって塞ぐことができるので、ファインダブロック１２の内部に細かなゴミ等が入り、ファインダの機能が低下することはない。
【００２５】
本実施形態ではパララックス調整後においても、偏心ピン２０を長穴１９と支持穴８に差し込んだままにしているが、ファインダブロック１２を基台１に固定した後は偏心ピン２０は不要になるので、偏心ピン２０を、ファインダブロック１２の基台１への固定作業後に長穴１９と支持穴８から取り除かれる調整治具として用いてもよい。
【００２６】
また、チャンネル材の下面に回転中心台を突設し、基台に回転軸を突設してもよい。
【００２７】
【発明の効果】
本発明によれば、パララックス調整作業中に調整要素やファインダブロックに傷が付くおそれや、ファインダブロックの内部へのゴミの侵入のおそれのないファインダのパララックス調整装置が得られる。
【図面の簡単な説明】
【図１】本発明の一実施形態のファインダを固定台に取り付ける前の状態を示す分解斜視図である。
【図２】同じく、ファインダの平面図である。
【図３】同じく、ファインダと固定台の側面図である。
【図４】同じく、ファインダを有するコンパクトカメラの正面図である。
【符号の説明】
１        基台
２        支持穴（回転中心凹部）
３        回転中心台
４        ねじ穴
５        ねじ穴
６        固定台
７        固定台
８        支持穴（治具回転中心穴）（左右調整機構）
９        偏心ピン支持台
１０      基準台（上下調整台）
１１      高さ調整台（上下調整台）
１２      ファインダブロック
１３      回転軸（凸部）
１４      チャンネル材
１５      上蓋
１６      固定翼
１７      固定翼
１８      円形穴
１９      長穴（左右調整機構）
２０      偏心ピン（調整治具）（左右調整機構）
２１      回転中心軸
２２      偏心軸部
２３      頭部
２４      マイナス溝
２５      スペーサ（上下調整機構）
２６      取付ねじ
２７      取付ねじ
１００    コンパクトカメラ
１０１    ファインダ
１０１Ｘ  ファインダ光軸
１０２    撮影レンズ系
Ｌ        レンズエレメント
【図１】
0003718450.tif 000002
【図２】
0003718450.tif 000003
【図３】
0003718450.tif 000004
【図４】
0003718450.tif 000005